(57)【要約】      （修正有）【課題】天板の面積を広く確保したテーブルを備えながら、安全性に考慮した準個室を構成する間仕切パネル装置を提供する。【解決手段】左右方向に延びるレール部を有する２枚の間仕切パネル３Ａ，３Ｂを交差させて連結したコーナ部において、それぞれレール部に係合する複数の支持部材１１により２枚の間仕切パネル３Ａ，３Ｂに掛け渡されるように天板６が支持されており、天板６は、２枚の間仕切パネル３Ａ，３Ｂに沿う２辺の下方にそれぞれ設けられた支持部材１１のうち、２枚の間仕切パネル同士の連結部分の近傍の下方に設けられた支持部材１１から最も離れた支持部材１１，１１同士を結んだ仮想線αより外側に膨出する形状とした。【選択図】図６
2017089157.tif 000002
【特許請求の範囲】
【請求項１】
左右方向に延びるレール部を有する２枚の間仕切パネルを交差させて連結し準個室を形成する間仕切パネル装置であって、
前記準個室のコーナ部において、それぞれ前記レール部に係合する複数の支持部材により前記２枚の間仕切パネルに掛け渡されるように天板が支持されており、
前記レール部は、外向きに開口する溝部と該溝部の少なくとも上縁に下向方向に突出する突片を有しており、
前記支持部材は、前記突片の裏面に係合する係合片と、前記天板と固定される固定部とを有し、前記天板の少なくとも前記２枚の間仕切パネルに沿う２辺の下方と、前記２枚の間仕切パネル同士の連結部分の近傍の下方と、に配置され、
前記天板は、前記２枚の間仕切パネルに沿う２辺の下方にそれぞれ設けられた前記支持部材のうち、前記２枚の間仕切パネル同士の連結部分の近傍の下方に設けられた前記支持部材から最も離れた支持部材同士を結んだ仮想線より外側に膨出する形状であることを特徴とする間仕切パネル装置。
【請求項２】
前記天板は、前記準個室における一方の前記間仕切パネルと平行に延びる辺と、その辺から鈍角に延びる辺とを有する形状であることを特徴とする請求項１に記載の間仕切パネル装置。
【請求項３】
前記支持部材は、前記係合片を有する係合部と、該係合部から前記間仕切パネルのパネル面に沿って上方に延びる延出部と、該延出部の上端に形成され、前記天板の下面が載置される形状である前記固定部と、を有することを特徴とする請求項１または２に記載の間仕切パネル装置。
【請求項４】
前記レール部が、断面略コ字状に一体成形されていることを特徴とする請求項１ないし３のいずれかに記載の間仕切パネル装置。
【発明の詳細な説明】
【技術分野】
【０００１】
本発明は、建物内の部屋や空間を仕切る間仕切パネル装置に関する。
【背景技術】
【０００２】
複数の機能性に富んだ独立性の高い執務区画を設ける場合、部屋の床面にパーティションを立設して建物内の部屋や空間を仕切り、複数の区画に分割している。その一例として、例えば、特許文献１に示されるように、立設した一対の支柱間に横方向に延びる複数の連結部材を架設し、該連結部材を利用してその幅方向（横方向に直行する方向）の両側及び上下方向にパネル材を取り付ける間仕切パネル装置が開発されている。
【０００３】
このような間仕切パネル装置は、近年、既存の病院やクリニックにおいて大きな病室を複数の準個室に仕切る場合等への利用が広がっている。そして、準個室にあっては、患者が利用するベッドと、患者と医療関係者が利用するテーブルやクローゼット等がそれぞれ設置されている。
【先行技術文献】
【特許文献】
【０００４】
【特許文献１】特開２００９−２８７１７３号公報（第８頁、第４図）
【発明の概要】
【発明が解決しようとする課題】
【０００５】
このような準個室にあっては、限られたスペース内にベッドとテーブルが配置されるため、ベッドとテーブルとの距離が近くなっている。準個室に設置されるテーブルの天板は、物品の載置やテーブル上での作業等を行いやすいように、載置面積が広いものが好まれるが、面積が広い程、天板を支える脚がベッドに近づくことになり、患者や医療関係者が足を引っ掛けて転倒する危険性が増加するという問題があった。
【０００６】
本発明は、このような課題に着目してなされたもので、天板の面積を広く確保したテーブルを備えながら、安全性に考慮した準個室を構成する間仕切パネル装置を提供することを目的とする。
【課題を解決するための手段】
【０００７】
前記課題を解決するために、本発明の間仕切パネル装置は、
左右方向に延びるレール部を有する２枚の間仕切パネルを交差させて連結し準個室を形成する間仕切パネル装置であって、
前記準個室のコーナ部において、それぞれ前記レール部に係合する複数の支持部材により前記２枚の間仕切パネルに掛け渡されるように天板が支持されており、
前記レール部は、外向きに開口する溝部と該溝部の少なくとも上縁に下向方向に突出する突片を有しており、
前記支持部材は、前記突片の裏面に係合する係合片と、前記天板と固定される固定部とを有し、前記天板の少なくとも前記２枚の間仕切パネルに沿う２辺の下方と、前記２枚の間仕切パネル同士の連結部分の近傍の下方と、に配置され、
前記天板は、前記２枚の間仕切パネルに沿う２辺の下方にそれぞれ設けられた前記支持部材のうち、前記２枚の間仕切パネル同士の連結部分の近傍の下方に設けられた前記支持部材から最も離れた支持部材同士を結んだ仮想線より外側に膨出する形状であることを特徴としている。
この特徴によれば、天板は、２枚の間仕切パネルに沿う２辺の下方と２枚の間仕切パネル同士の連結部分の近傍の下方と、に配置される支持部材により安定して支持されている。加えて、天板における間仕切パネルに沿う２辺の下方にそれぞれ設けられた２つの支持部材同士を結んだ仮想線より膨出した部分に、荷重方向の外力がかかった場合には、仮想線を中心として天板が回動する方向にかかる力を、２枚の間仕切パネル同士の連結部分の近傍に設けられた支持部材の係合片が、レール部における下向方向に突出する突片の裏面に係合することによって受けることができる。そのため、一部を膨出させた分、天板の面積を大きく確保しながら、支持強度を高い状態に維持することができ、患者等の転倒を防止できる。
【０００８】
前記天板は、前記準個室における一方の前記間仕切パネルと平行に延びる辺と、その辺から鈍角に延びる辺とを有する形状であることを特徴としている。
この特徴によれば、天板における準個室の空間方向に突き出した部分が９０度以上の鈍角を有するため、接触時の怪我の虞が少ない。
【０００９】
前記支持部材は、前記係合片を有する係合部と、該係合部から前記間仕切パネルのパネル面に沿って上方に延びる延出部と、該延出部の上端に形成され、前記天板の下面が載置される形状である前記固定部と、を有することを特徴としている。
この特徴によれば、天板が延出部の分、レール部より上方に支持されることになるため、天板の下方のレール部を他の物品を取付けるために利用することができる。また、天板上に天板を支持する構造が露見しないため見栄えがよい。
【００１０】
前記レール部が、断面略コ字状に一体成形されていることを特徴としている。
この特徴によれば、レール部に掛かるねじり方向の力に対する強度が高く、天板を確実に支持することができる。
【図面の簡単な説明】
【００１１】
【図１】実施例おける間仕切パネル装置を用いて準個室を形成した状態を示す斜視図である。
【図２】間仕切パネル同士の連結を示す部分を一部拡大した上面視断面図である。
【図３】一方の間仕切パネルの連結部材の構造を示す側断面図である。
【図４】一対の連結杆が保持部材によって保持された状態を示す側断面図である。
【図５】テーブル板の取付け構造を示す一部拡大斜視図である。
【図６】テーブル板及びベッドの配置を示す上面視のイメージ図である。
【図７】支持部材をレール部に取り付ける態様を示す一部拡大側断面図である。
【図８】テーブル板の下方に物品を取り付けた例を示す一部拡大斜視図である。
【発明を実施するための形態】
【００１２】
本発明に係る間仕切パネル装置を実施するための形態を実施例に基づいて以下に説明する。
【実施例】
【００１３】
実施例に係る間仕切パネル装置につき、図１から図８を参照して説明する。
【００１４】
図１に示されるように、間仕切パネル装置１は、主に医療施設等の室内空間を複数の準個室に仕切る際に用いられるものであり、それぞれの準個室を構成する複数のパネルユニット１Ａを組み合わせて成る。パネルユニット１Ａは、複数の間仕切パネル３Ａ，３Ｂが直角に連結されて平面視Ｌ字形に構成されている。尚、間仕切パネル装置１は同様の構成のパネルユニットを複数有して室内空間内を仕切っているが、ここでは１つの準個室Ｓ１を例に取り説明し、それ以外の準個室の構成の説明を以下省略する。
【００１５】
図１及び図２に示されるように、パネルユニット１Ａを構成する間仕切パネル３Ａ，３Ｂの内壁面には、治療に用いられる医療ガス等の取出口であるアウトレット４と、ワゴン５、テーブル板６、ベッド４０、クローゼット４１と図示しない電源コンセント口、ナースコールユニット等が配設されている。
【００１６】
図２に示されるように、間仕切パネル３Ａと間仕切パネル３Ｂとは、連結支柱１０にそれぞれ固定されて連結されている。間仕切パネル３Ａは、床面と天井面との間に亘って上下方向に延設される支柱２，２と、支柱２，２と、これら支柱２，２の上下方向に複数配置されて支柱２，２同士を連結する連結部材（図１，図３参照）と、隣り合う連結部材の間に固定されるパネル材８，８，…と、から主に構成されて、室内の壁面Ｗに沿って配置されている。尚、間仕切パネル３Ｂは、最上段のパネルがガラスパネル８０となっており、このガラスパネルから仕切られた隣の準個室または部屋の天井を一部見えるようにすることで、圧迫感が軽減されている。
【００１７】
連結部材は、支柱２，２の上下端同士を繋ぐ上部連結部材及び下部連結部材（ともに図示せず）と、支柱２，２の上下方向の中間部同士を繋ぐ複数の中部連結部材７，７，…と、に分類され、間仕切パネル３Ａにおいて中部連結部材は、連結杆１８により構成されている。尚、上部連結部材はカバーにより被覆されており、図１における斜視方向では露見していない。
【００１８】
連結杆１８は、アルミ等の金属製であり、押出形成により断面形状が一定となるように杆状に形成されている。また、図３に示されるように、連結杆１８は、間仕切パネル３Ａの正面側からアクセス可能なレール部１８ａを備えている。レール部１８ａは、外方に開口する溝部３０と、溝部３０の上下縁部に対向して突設される下向突片３１と上向突片３２と、を備えており、後述する支持部材を係合させることでテーブル板６や物品（卓上照明やその他備え付けの医療器具等の備品等）を取付けられるようになっている（図１参照）。
【００１９】
連結杆１８の下面１８ｂには、長手方向に沿って所定間隔離間して板バネ状のバンド部材２５が固着されており、下面１８ｂとバンド部材２５とによって下側のパネル材８の上端板部８ａを挟み込むようになっている。また、連結杆１８の上面側には、ここでは図示しない起立片が取付けられており、この起立片に上側のパネル材８の下端に設けられた下向き鉤状の係止片２６が係合するようになっている。
【００２０】
図２及び図４に示されるように、間仕切パネル３Ｂは、支柱２と支柱２との間に、上部連結部材と下部連結部材と中部連結部材７，７，…とが、それぞれ支柱２と支柱２の正面側と背面側とにそれぞれ固定され、隣り合う支柱２の正面側と背面側とにパネル材８，８，…がそれぞれ固定されている。
【００２１】
図４に示されるように、中部連結部材７，７，…は、間仕切パネル１Ｂの厚み方向に所定間隔を開けて配設される一対の連結杆１８，１９と、連結杆１８，１９間の所定間隔を保持する保持部材２０と、を備えている。連結杆１８と連結杆１９は、同一の部材であり、レール部１８ａ，１９ａをそれぞれ備えている。
【００２２】
連結杆１８，１９の下面１８ｂ，１９ｂには、長手方向に沿って所定間隔離間して板バネ状のバンド部材２５が固着されており、下面１８ｂ，１９ｂとバンド部材２５，２５，…とによって下側のパネル材８の上端板部８ａを挟み込むようになっている。
【００２３】
図４に示されるように、保持部材２０は、上側のパネル材８の下端に設けられた下向き鉤状の係止片２６が係合する上向片２１ｂ，２１ｂを有する第１部材２１と、連結杆１８及び連結杆１９の近接を防止する第２部材２２と、第１部材２１と第２部材２２を連結する連結手段であるボルト・ナット２３と、を備えている。
【００２４】
図５に示されるように、パネルユニット１Ａのコーナ部、即ち間仕切パネル３Ａと間仕切パネル３Ｂとが連結したて形成された直角のエリアには、間仕切パネル３Ａのレール部１８ａと、間仕切パネル３Ｂのレール部１９ａにそれぞれ係合する複数の支持部材１１，１１，１１，１１により２枚の間仕切パネル３Ａ，３Ｂにそれぞれ掛け渡されるように天板６が支持されている。
【００２５】
図５及び図６に示されるように、テーブル板６は、２枚の間仕切パネル３Ａ，３Ｂ同士の連結部分と対角線となる角部部分が切り欠かれた形状であり、間仕切パネル３Ａのパネル面３ａに当接する辺６ａと、間仕切パネル３Ｂのパネル面３ｂに当接する辺６ｂと、辺６ａの端部から直角（即ち辺６ｂと平行）に延出する辺６ｃと、辺６ｂの端部から直角（即ち辺６ａと平行）に延出する辺６ｄと、辺６ｄの端部から直角（即ち辺６ｂと平行）に延出する辺６ｅと、辺６ｃと辺６ｅとを斜めに結ぶ辺６ｆと、を有している。
【００２６】
支持部材１１は、図５及び図７に示されるように、レール部１８ａ（１９ａ）に係合する係合部１２ｃ，１２ｃを有する第１支持部材１１Ａと、第１支持部材１１Ａにネジ固定され、レール部１８ａ（１９ａ）の下向突片３１と上向突片３２とに当接する基片１１ａと、この基片１１ａから間仕切パネル３Ａ，３Ｂのパネル面に沿って上方に延びる延出部１１ｂと延出部１１ｂの上端から外方に向け直角に延びる固定部１１ｃとを有する第２支持部材１１Ｂと、から構成されている。
【００２７】
第１支持部材１１Ａは、間仕切パネル３Ａ，３Ｂのパネル面と平行に沿う基片１２ａと、この基片１２ａの両側部に後向きに連設され、かつ後端部に、基片１２ａよりも上方に突出し、前述のレール部１８ａ（１９ａ）における下向突片３１の裏面３１ａに係止される係止片１３を有する１対の係合部１２ｃ，１２ｃ（図５，図６では一方のみが見えている）とからなっている。
【００２８】
図７（ａ）及び（ｂ）に示されるように、第１支持部材１１Ａは、若干後傾させた状態で、両係合部１２ｃ，１２ｃを、レール部１８ａ（１９ａ）の溝部３０より奥部に挿入したのち、垂直に起立させると、両係止片１３を下向突片３１の裏面３１ａに係止可能な状態とすることができる。支持部材１１は、レール部１８ａ（１９ａ）の上向突片３２の上端面３２ａに第１支持部材１１Ａの基片１２ａの下端面１２ｄが載置されて、天板６の荷重をレール部１８ａ（１９ａ）に支持させるようになっている。
【００２９】
そして、この状態で、第２支持部材１１Ｂの孔１４からより挿通したネジ５０を、基片１２ａのねじ孔１５に螺着すると、第２支持部材１１Ｂの基片１１ａの裏面が下向突片３１及び上向突片３２に、第２支持部材１１Ｂの係止片１３，１３が下向突片３１の裏面３１ａに、押圧され、支持部材１１がレール部１８ａ（１９ａ）に強固に固定される。
【００３０】
図７（ｂ）及び図８に示されるように、固定部１１ｃは、天板６の下面を支持するとともに、その中央に設けられたビス穴１６を挿通するネジ５０により天板６と固定される。図７（ｂ）に示されるように、係止片１３，１３がそれぞれレール部１８ａ（１９ａ）の下向突片３１の裏面３１ａに係止されることにより、支持部材１１の前方側へ傾斜する移動が規制されており、加えて天板６が間仕切パネル３Ａ及び３Ｂに当接した状態で、固定部１１ｃと天板６とがネジ固定されていることにより、支持部材１１の後方側へ傾斜する移動も規制されており、天板６の支持強度が高くなっている。
【００３１】
上記したように、支持部材１１を２枚の間仕切パネル３Ａ，３Ｂにそれぞれ掛け渡されるようにレール部１８ａ（１９ａ）に係合させることで、支持部材１１上に天板６をレール部１８ａ（１９ａ）に支持させることができ、天板６を支持する脚体を別途必要としないため、図８に示されるように、天板６の下方の空間を有効に利用可能である。また、支持部材１１の備える延出部１１ｂにより、天板６がレール部１８ａ（１９ａ）より上方に位置するため、天板６の下方におけるレール部１８ａ（またはレール部１９ａ）に他の物品４３を取り付けることができる。更に、天板６上に天板６を支持する支持部材１１が露見しないため見栄えがよい。
【００３２】
支持部材１１は、天板６の間仕切パネル３Ａと当接する辺６ａの下方に１つ、天板６の間仕切パネル３Ｂと当接する辺６ｂの下方に２つ、２枚の間仕切パネル３Ａ，３Ｂ同士の連結部分の近傍下方に１つ、それぞれ配置されている。そして、図６に示されるように、天板６は間仕切パネル３Ａに沿う２辺６ａの下方に設けられた支持部材１１と、間仕切パネル３Ｂに沿う６ｂの下方に設けられた支持部材１１，１１のうち、間仕切パネル３Ａ，３Ｂ同士の連結部分の近傍の下方に設けられた支持部材１１から最も離れた支持部材１１と、を結んだ仮想線αより外側に膨出する膨出部Ｘを有する形状である。そのため、膨出部Ｘに荷重方向の外力がかかった場合には、仮想線αを中心として天板６が回動する方向に力がかかる。
このときには、間仕切パネル３Ａ，３Ｂ同士の連結部分の近傍（即ち仮想線αより内側に設けられた）支持部材１１，１１のそれぞれの係合片１３，１３が、レール部１８ａ（１９ａ）における下向突片３１の裏面３１ａに係合することによって天板６が回動する方向の力が受けられるようになっている。また、支持部材１１は、金属板を屈曲した一体成形であるため伸長方向の耐久性が高く、この耐久性の高い方向で前述の天板６が回動する方向の力を受けられることから、仮想線αより内側に設けられた支持部材１１の変形や破損が起こりにくく、天板６の支持強度が極めて高い。尚、仮想線α上の支持部材１１，１１にあっては、支持部材１１の第１支持部材１１Ａの基片１２ａの下端面１２ｄがレール部１８ａ（１９ａ）の上向突片３２に天板６の荷重を預けるようになっている。
【００３３】
また、天板６は、支持部材１１と離れた位置となる２枚の間仕切パネル同士３Ａ，３Ｂの連結部分と対角線となる角部部分を切り欠くことで外力に対する脆弱部が小さくなっており、天板６の面積を広く確保しながら、全体的に上下方向からの外力に強い構造となっている。
【００３４】
また、図６に示されるように、準個室Ｓ１には、ベッド４０が配置されており、このベッド４０の横にテーブル板６が配置されることになる。前述したように、テーブル板６は、間仕切パネル３Ａ，３Ｂ同士の連結部分と対角線となる角部部分が切り欠かれたような形状、即ちテーブル板６の斜めの辺６ｆとベッド４０とが略ハの字となっているため、このハの字となるように切り欠かれた部分が患者や医療関係者のベッド横の動線として機能し、天板６上の載置及び作業スペースを大きく確保しながら、準個室Ｓ１内の患者や医療関係者のベッド４０横の動線を確保することができる。
【００３５】
また、天板６の辺６ｄ側は、隣接するクローゼット４１と当接しており、かつ天板６の長手方向における間仕切パネル３Ａ，３Ｂ同士の連結部分と反対側、即ち辺６ｄを端部に有する延長部分は、辺６ｅがクローゼット４１の前面と略面一となっているため、患者や医療関係者が天板６とクローゼット４１との境界に接触して怪我をする虞が少ない。
【００３６】
また、テーブル板６の下方に配置されるワゴン５は、図１に示されるように、引出５ａを有している。ワゴン５は、その前面を、斜めに切り欠かれた辺６ｆと面一となるように配置することで、前述の動線上に飛び出すことが無く、かつベッド４０の上の患者が利用しやすい角度で引出５ａの出し入れを行うことができ、使い易い。
【００３７】
以上、本発明の実施例を図面により説明してきたが、具体的な構成はこれら実施例に限られるものではなく、本発明の要旨を逸脱しない範囲における変更や追加があっても本発明に含まれる。
【００３８】
例えば、上述の実施例において、天板６は斜めの辺６ｆを１本含む６辺を有する形状で説明したが、これに限らず、例えば、斜めの辺が２本以上有していてもよいし、全体で５辺以上の辺で構成されており、かつ間仕切パネル３Ａと間仕切３Ｂとに交わるような斜めの辺を有して前述の動線を確保できる形状であればいかなる形状であってもよい。
【００３９】
また、支持部材１１は、天板６の間仕切パネル３Ａと当接する辺６ａの下方に１つ、天板６の間仕切パネル３Ｂと当接する辺６ｂの下方に２つ、２枚の間仕切パネル３Ａ，３Ｂ同士の連結部分の近傍下方に１つ、それぞれ配置されているが、これに限らず、間仕切パネル３Ａ，３Ｂと当接する辺６ａ，６ｂの下方に２箇所以上の複数箇所にそれぞれ配置されていてもよいし、２枚の間仕切パネル３Ａ，３Ｂ同士の連結部分の近傍下方に２箇所以上の複数箇所に配置されていてもよい。この場合、仮想線αは間仕切パネル３Ａ，３Ｂと当接する辺６ａ，６ｂに配置される支持部材１１のうち、間仕切パネル３Ａ，３Ｂ同士の連結部分の近傍の下方に設けられた支持部材１１から最も離れた支持部材１１同士を結んで構成される。
【００４０】
また、間仕切パネル３Ｂにおける中部連結部材７は、準個室Ｓ１側にレール部を有する構造であれば、連結杆１８，１９を保持部材２０により連結保持する構成に限らず、例えば、間仕切パネル３Ｂの正面・背面側にレール部をそれぞれ有する一体成型で形成することで更に強度が高められていてもよい。
【００４１】
また、支持部材１１は、第１支持部材１１Ａと第２支持部材１１Ｂとをレール部１８の下向突片３１を挟むように前後から連結する構造に限らず、例えば、第１支持部材と第２支持部材とを上下に連結する構造でもよいし、３つ以上の部材を連結する構造でもよいし、一体成形で構成されてもよい。
【００４２】
また、上述した実施例では、レール部１８ａ（１９ａ）に支持部材１１における第１支持部材１１Ａを係合させた後、第１支持部材１１Ａと第２支持部材１１Ｂとを連結させ、第２支持部材１１Ｂの固定部１１ｃに天板６を固定する態様で説明したが、天板支持作業の順番はこれに限らず、例えば、予め第２支持部材１１Ｂの固定部１１ｃに天板６を固定した状態で、レール部１８ａ（１９ａ）に係合された第１支持部材１１Ａと第２支持部材１１Ｂとを連結してもよい。
【００４３】
また、パネルユニット１Ａにおいて、準個室Ｓ１は、少なくとも間仕切パネル３Ａの一面と、間仕切パネル３Ｂの一面とがあれば構成できるため、例えば、パネルユニットが室内のコーナ部に配置される場合等には、間仕切パネル３Ｂを背面側にパネル材８を備えない、間仕切パネル３Ａと同様の構成としてもよい。
【００４４】
また、上述の実施例において、パネルユニット１Ａは、間仕切パネル３Ａと間仕切パネル３Ｂとを直角に連結する構成で説明したが、これに限らず、例えば隣接する間仕切パネル同士とは鈍角または鋭角に交差して連結されていてもよい。
【００４５】
また、延出部１１ｂは、レール部１８ａ（１９ａ）より上方に向けて延びる構成に限らず、例えば、下方に向けて延びるようにすることで、天板６をレール部１８ａ（１９ａ）より下方に位置させる構成であってもよい。これによれば、レール部１８ａ（１９ａ）に取り付けた物品を天板６上で利用することができる。尚、天板６の高さ設計に応じて、延出部１１ｂを省略し、基片１１ａから固定部１１ｃが直接延設されてもよい。
【符号の説明】
【００４６】
１                間仕切パネル装置
１Ａ              パネルユニット
２，２            支柱
３Ａ，３Ｂ        間仕切パネル
５                ワゴン
６                天板
７                中部連結部材
８                パネル材
１０              連結支柱
１１              支持部材
１１Ａ            第１支持部材
１１Ｂ            第２支持部材
１１ａ            基片
１１ｂ            延出部
１１ｃ            固定部
１２ａ            基片
１２ｃ，１２ｃ    係合部
１３              係止片
１８，１９        連結杆
１８ａ            レール部
２０              保持部材
３０              溝部
３１              下向突片
３２              上向突片
４０              ベッド
４１              クローゼット
Ｓ１              準個室
【図１】
2017089157.tif 000003
【図２】
2017089157.tif 000004
【図３】
2017089157.tif 000005
【図４】
2017089157.tif 000006
【図５】
2017089157.tif 000007
【図６】
2017089157.tif 000008
【図７】
2017089157.tif 000009
【図８】
2017089157.tif 000010